(57)【要約】【課題】  実世界の場所や物に関連する情報を利用者間で手軽に共有できる情報共有システムを提供する。【解決手段】  レストランの表看板などの実世界の場所や物にユニークなＩＤを持ったＲＦタグ１０１を取り付けてあり、その物に関連する情報を提供したい利用者が自身の情報端末１０２でＲＦ端末１０１のＩＤを読み取り、他の利用者に提供したい情報を添えてサーバ装置１１２へ送信すると、共有情報データベース１０８にＲＦタグ１０１のＩＤに対応して情報が登録される。別の利用者が、表看板にＲＦタグ１０１の付いたレストランなどの物に関連する情報を参照したい場合、自身の情報端末１０２でＲＦタグ１０１のＩＤを読み取ってサーバ装置１１２へ送信すると、共有情報データベースから前記ＩＤに対応して登録された情報が検索され、取得要求元の情報端末１０２へ送られる。【選択図】  図１
2006133841.tif 000002
【特許請求の範囲】
【請求項１】
実世界の物体に取り付けられた第１の識別子を有する１以上のデバイスと、共有情報の登録および参照時に利用者によって使用される１以上の情報端末と、該情報端末と相互に通信可能なサーバ装置とを備え、
前記サーバ装置は、前記デバイスの有する第１の識別子と共有情報と該共有情報の登録に使用した前記情報端末に割り当てられた第２の識別子の各フィールドを有する共有情報データベースと、該共有情報データベースの各フィールドへのデータの登録および参照を行う共有情報管理部と、前記デバイスの有する第１の識別子と共有情報と該共有情報の登録に使用した前記情報端末に割り当てられた第２の識別子とを含む共有情報登録要求を前記情報端末から受信したとき、前記共有情報管理部を通じて前記共有情報データベースに前記共有情報登録要求に含まれる共有情報を前記共有情報登録要求に含まれる前記第１および第２の識別子と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部とを備え、
前記情報端末は、前記デバイスの有する第１の識別子を読み取る読取部と、入力部から共有情報の登録指示があったとき、前記読取部を通じて前記デバイスから読み取った第１の識別子と共有情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備えることを特徴とする情報共有システム。
【請求項２】
前記サーバ装置は、前記情報登録および情報配信管理部から共有情報の配信を要求した前記情報端末の前記第２の識別子の通知を受けて該通知された第２の識別子に対応する利用ポイントを減算し、前記情報登録および情報配信管理部を通して提供した共有情報の登録を要求した前記情報端末の前記第２の識別子の通知を受けて該通知された第２の識別子に対応する利用ポイントを加算する利用ポイント管理部を備えることを特徴とする請求項１記載の情報共有システム。
【請求項３】
実世界の物体に取り付けられた第１の識別子を有する１以上のデバイスと、共有情報の登録および参照時に利用者によって使用される１以上の情報端末と、該情報端末と相互に通信可能なサーバ装置とを備え、
前記サーバ装置は、前記デバイスの有する第１の識別子と共有情報と該共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記デバイスの有する第１の識別子と共有情報と該共有情報の登録に使用した前記情報端末に割り当てられた第２の識別子と個人情報とを含む共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度と対応付けて登録し、かつ、前記個人情報管理部を通じて前記個人情報データベースに前記共有情報登録要求に含まれる個人情報を前記共有情報登録要求に含まれる第２の識別子と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備え、
前記情報端末は、前記デバイスの有する第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備えることを特徴とする情報共有システム。
【請求項４】
実世界の物体に取り付けられた第１の識別子を有する１以上のデバイスと、共有情報の登録および参照時に利用者によって使用される１以上の情報端末と、該情報端末と相互に通信可能なサーバ装置とを備え、
前記サーバ装置は、前記デバイスの有する第１の識別子と共有情報と該共有情報を一意に識別する共有情報番号と前記共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と前記共有情報番号と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記デバイスの有する第１の識別子と共有情報と該共有情報の登録に使用した前記情報端末に割り当てられた第２の識別子と個人情報とを含む共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度および新たに採番した共有情報番号と対応付けて登録し、かつ、前記個人情報管理部を通じて前記個人情報データベースに前記共有情報登録要求に含まれる個人情報を前記共有情報登録要求に含まれる第２の識別子および前記共有情報番号と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備え、
前記情報端末は、前記デバイスの有する第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備えることを特徴とする情報共有システム。
【請求項５】
前記サーバ装置は、前記共有情報データベースから検索された、前記共有情報参照要求に含まれる前記第１の識別子と対応付けられた１以上の共有情報を、共有情報の信頼度の昇順にソートする手段を備え、前記情報登録および情報配信管理部は、共有情報の信頼度の高い順に前記共有情報参照要求元の前記情報端末へ共有情報を送信するものであることを特徴とする請求項３または４記載の情報共有システム。
【請求項６】
前記サーバ装置は、共有情報の開示を制限する情報端末の第２の識別子を記憶する開示制限データベースと、前記共有情報取得要求に含まれる前記第２の識別子と前記開示制限データベースに記憶された第２の識別子とを比較し、共有情報の開示を制限する情報端末の第２の識別子と一致する第２の識別子を有する情報端末に対して共有情報の開示を制限する情報開示制限部とを備えることを特徴とする請求項１、３または４記載の情報共有システム。
【請求項７】
前記情報端末は、前記第２の識別子として、内蔵するメモリに記憶された識別子を使用することを特徴とする請求項１、３または４記載の情報共有システム。
【請求項８】
前記情報端末は、前記第２の識別子として、利用者の指示に従って外部のデバイスから読み取った識別子を使用することを特徴とする請求項１、３または４記載の情報共有システム。
【請求項９】
ａ）情報提供者の情報端末が、実世界の物体に取り付けられた第１の識別子を有するデバイスの前記第１の識別子を読み取り、該読み取った第１の識別子と個人情報と自情報端末に割り当てられた第２の識別子とを含む共有情報登録要求をサーバ装置へ送信するステップ、
ｂ）前記サーバ装置の情報登録および情報配信管理部が、前記共有情報登録要求を前記情報端末から受信し、前記デバイスの有する第１の識別子と共有情報と該共有情報の登録に使用した前記情報端末に割り当てられた第２の識別子の各フィールドを有する共有情報データベースの前記各フィールドへのデータの登録および参照を行う共有情報管理部を通じて、前記共有情報データベースに前記共有情報登録要求に含まれる共有情報を前記共有情報登録要求に含まれる前記第１および第２の識別子と対応付けて登録するステップ、
ｃ）情報参照者の情報端末が、前記デバイスの前記第１の識別子を読み取り、該読み取った第１の識別子と自情報端末に割り当てられた前記第２の識別子とを含む共有情報取得要求を前記サーバ装置へ送信するステップ、
ｄ）前記サーバ装置の前記情報登録および情報配信管理部が、前記共有情報参照要求を前記情報端末から受信し、前記共有情報管理部を通じて、前記共有情報データベースから前記共有情報参照要求に含まれる前記第１の識別子と対応付けられた共有情報を検索して前記共有情報参照要求元の前記情報端末へ送信するステップ、
を含むことを特徴とする情報共有方法。
【請求項１０】
前記サーバ装置の利用ポイント管理部が、前記情報登録および情報配信管理部から共有情報を提供された前記情報端末の前記第２の識別子の通知を受けて該通知された第２の識別子に対応する利用ポイントを減算し、前記情報登録および情報配信管理部を通して提供した共有情報を登録した前記情報端末の前記第２の識別子の通知を受けて該通知された第２の識別子に対応する利用ポイントを加算することを特徴とする請求項９記載の情報共有方法。
【請求項１１】
ａ）情報提供者の情報端末が、実世界の物体に取り付けられた第１の識別子を有するデバイスの前記第１の識別子を読み取り、該読み取った第１の識別子と共有情報と個人情報と自情報端末に割り当てられた第２の識別子とを含む共有情報登録要求をサーバ装置へ送信するステップ、
ｂ）前記サーバ装置の情報登録および情報配信管理部が、前記共有情報登録要求を前記情報端末から受信し、個人情報を解析して共有情報の信頼度を計算する情報信頼性格付け部により前記共有情報登録要求に含まれる前記個人情報から前記共有情報の信頼度を計算するステップ、
ｃ）前記サーバ装置の情報登録および情報配信管理部が、前記デバイスの有する第１の識別子と共有情報と該共有情報の登録に使用した前記情報端末に割り当てられた第２の識別子と情報信頼度の各フィールドを有する共有情報データベースの前記各フィールドへのデータの登録および参照を行う共有情報管理部を通じて、前記共有情報データベースに前記共有情報登録要求に含まれる共有情報を前記共有情報登録要求に含まれる前記第１および第２の識別子ならびに前記計算された前記共有情報の信頼度と対応付けて登録し、かつ、前記個人情報管理部を通じて前記個人情報データベースに前記共有情報登録要求に含まれる個人情報を前記共有情報登録要求に含まれる第２の識別子と対応付けて登録するステップ、
ｄ）情報参照者の情報端末が、前記デバイスの前記第１の識別子を読み取り、該読み取った第１の識別子と自情報端末に割り当てられた前記第２の識別子とを含む共有情報取得要求を前記サーバ装置へ送信するステップ、
ｅ）前記サーバ装置の前記情報登録および情報配信管理部が、前記共有情報参照要求を前記情報端末から受信し、前記共有情報管理部を通じて、前記共有情報データベースから前記共有情報参照要求に含まれる前記第１の識別子と対応付けられた共有情報を検索して前記共有情報参照要求元の前記情報端末へ送信するステップ、
ｆ）前記サーバ装置の利用ポイント管理部が、前記情報登録および情報配信管理部から共有情報を提供した前記情報端末の前記第２の識別子および提供した共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算するステップ、
を含むことを特徴とする情報共有方法。
【請求項１２】
ａ）情報提供者の情報端末が、実世界の物体に取り付けられた第１の識別子を有するデバイスの前記第１の識別子を読み取り、該読み取った第１の識別子と共有情報と個人情報と自情報端末に割り当てられた第２の識別子とを含む共有情報登録要求をサーバ装置へ送信するステップ、
ｂ）前記サーバ装置の情報登録および情報配信管理部が、前記共有情報登録要求を前記情報端末から受信し、個人情報を解析して共有情報の信頼度を計算する情報信頼性格付け部により前記共有情報登録要求に含まれる前記個人情報から前記共有情報の信頼度を計算するステップ、
ｃ）前記サーバ装置の情報登録および情報配信管理部が、前記デバイスの有する第１の識別子と共有情報と該共有情報を一意に識別する共有情報番号と前記共有情報の登録に使用した前記情報端末に割り当てられた第２の識別子と情報信頼度の各フィールドを有する共有情報データベースの前記各フィールドへのデータの登録および参照を行う共有情報管理部を通じて、前記共有情報データベースに前記共有情報登録要求に含まれる共有情報を前記共有情報登録要求に含まれる前記第１および第２の識別子ならびに前記計算された前記共有情報の信頼度および前記共有情報番号と対応付けて登録し、かつ、前記個人情報管理部を通じて前記個人情報データベースに前記共有情報登録要求に含まれる個人情報を前記共有情報登録要求に含まれる第２の識別子および前記共有情報番号と対応付けて登録するステップ、
ｄ）情報参照者の情報端末が、前記デバイスの前記第１の識別子を読み取り、該読み取った第１の識別子と自情報端末に割り当てられた前記第２の識別子とを含む共有情報取得要求を前記サーバ装置へ送信するステップ、
ｅ）前記サーバ装置の前記情報登録および情報配信管理部が、前記共有情報参照要求を前記情報端末から受信し、前記共有情報管理部を通じて、前記共有情報データベースから前記共有情報参照要求に含まれる前記第１の識別子と対応付けられた共有情報を検索して前記共有情報参照要求元の前記情報端末へ送信するステップ、
ｆ）前記サーバ装置の利用ポイント管理部が、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算するステップ、
を含むことを特徴とする情報共有方法。
【請求項１３】
前記サーバ装置は、前記共有情報データベースから検索された、前記共有情報参照要求に含まれる前記第１の識別子と対応付けられた１以上の共有情報を、共有情報の信頼度の昇順にソートし、前記情報登録および情報配信管理部は、共有情報の信頼度の高い順に前記共有情報参照要求元の前記情報端末へ共有情報を送信することを特徴とする請求項１１または１２記載の情報共有方法。
【請求項１４】
前記サーバ装置の情報開示制限部が、共有情報の開示を制限する情報端末の第２の識別子を記憶する開示制限データベースに記憶された第２の識別子と、前記共有情報取得要求に含まれる前記第２の識別子とを比較し、共有情報の開示を制限する情報端末の第２の識別子と一致する第２の識別子を有する情報端末に対して共有情報の開示を制限することを特徴とする請求項９、１１または１２記載の情報共有方法。
【請求項１５】
共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置であって、前記デバイスの有する第１の識別子と共有情報と該共有情報の登録に使用した前記情報端末に割り当てられた第２の識別子の各フィールドを有する共有情報データベースと、該共有情報データベースの各フィールドへのデータの登録および参照を行う共有情報管理部と、前記共有情報登録要求を前記情報端末から受信したとき、前記共有情報管理部を通じて前記共有情報データベースに前記共有情報登録要求に含まれる共有情報を前記共有情報登録要求に含まれる前記第１および第２の識別子と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部とを備えることを特徴とするサーバ装置。
【請求項１６】
前記情報登録および情報配信管理部から共有情報を提供された前記情報端末の前記第２の識別子の通知を受けて該通知された第２の識別子に対応する利用ポイントを減算し、前記情報登録および情報配信管理部を通して提供した共有情報を登録した前記情報端末の前記第２の識別子の通知を受けて該通知された第２の識別子に対応する利用ポイントを加算する利用ポイント管理部を備えることを特徴とする請求項１５記載のサーバ装置。
【請求項１７】
共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置であって、前記デバイスの有する第１の識別子と共有情報と該共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度と対応付けて登録し、かつ、前記個人情報管理部を通じて前記個人情報データベースに前記共有情報登録要求に含まれる個人情報を前記共有情報登録要求に含まれる第２の識別子と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備えることを特徴とするサーバ装置。
【請求項１８】
共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置であって、前記デバイスの有する第１の識別子と共有情報と該共有情報を一意に識別する共有情報番号と前記共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と前記共有情報番号と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度および新たに採番した共有情報番号と対応付けて登録し、かつ、前記個人情報管理部を通じて前記個人情報データベースに前記共有情報登録要求に含まれる個人情報を前記共有情報登録要求に含まれる第２の識別子および前記共有情報番号と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備えることを特徴とするサーバ装置。
【請求項１９】
前記共有情報データベースから検索された、前記共有情報参照要求に含まれる前記第１の識別子と対応付けられた１以上の共有情報を、共有情報の信頼度の昇順にソートする手段を備え、前記情報登録および情報配信管理部は、共有情報の信頼度の高い順に前記共有情報参照要求元の前記情報端末へ共有情報を送信するものであることを特徴とする請求項１７または１８記載のサーバ装置。
【請求項２０】
共有情報の開示を制限する情報端末の第２の識別子を記憶する開示制限データベースと、前記共有情報取得要求に含まれる前記第２の識別子と前記開示制限データベースに記憶された第２の識別子とを比較し、共有情報の開示を制限する情報端末の第２の識別子と一致する第２の識別子を有する情報端末に対して共有情報の開示を制限する情報開示制限部とを備えることを特徴とする請求項１５、１７または１８記載のサーバ装置。
【請求項２１】
共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置を構成するコンピュータを、前記デバイスの有する第１の識別子と共有情報と該共有情報の登録に使用した前記情報端末に割り当てられた第２の識別子の各フィールドを有する共有情報データベースの各フィールドへのデータの登録および参照を行う共有情報管理部、前記共有情報登録要求を前記情報端末から受信したとき、前記共有情報管理部を通じて前記共有情報データベースに前記共有情報登録要求に含まれる共有情報を前記共有情報登録要求に含まれる前記第１および第２の識別子と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部、として機能させるためのプログラム。
【請求項２２】
前記コンピュータを更に、前記情報登録および情報配信管理部から共有情報を提供された前記情報端末の前記第２の識別子の通知を受けて該通知された第２の識別子に対応する利用ポイントを減算し、前記情報登録および情報配信管理部を通して提供した共有情報を登録した前記情報端末の前記第２の識別子の通知を受けて該通知された第２の識別子に対応する利用ポイントを加算する利用ポイント管理部、として機能させるための請求項２１記載のプログラム。
【請求項２３】
共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置を構成するコンピュータを、前記デバイスの有する第１の識別子と共有情報と該共有情報の登録に使用した前記情報端末に割り当てられた第２の識別子と情報信頼度の各フィールドを有する共有情報データベースの各フィールドへのデータの登録および参照を行う共有情報管理部、前記第２の識別子と個人情報の各フィールドを有する個人情報データベースの各フィールドへのデータの登録および参照を行う個人情報管理部、個人情報を解析して共有情報の信頼度を計算する情報信頼性格付け部、前記共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度と対応付けて登録し、かつ、前記個人情報管理部を通じて前記個人情報データベースに前記共有情報登録要求に含まれる個人情報を前記共有情報登録要求に含まれる第２の識別子と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部、として機能させるためのプログラム。
【請求項２４】
共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置を構成するコンピュータを、前記デバイスの有する第１の識別子と共有情報と該共有情報を一意に識別する共有情報番号と前記共有情報の登録に使用した前記情報端末に割り当てられた第２の識別子と情報信頼度の各フィールドを有する共有情報データベースの各フィールドへのデータの登録および参照を行う共有情報管理部、前記第２の識別子と前記共有情報番号と個人情報の各フィールドを有する個人情報データベースの各フィールドへのデータの登録および参照を行う個人情報管理部、個人情報を解析して共有情報の信頼度を計算する情報信頼性格付け部、前記共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度および新たに採番した共有情報番号と対応付けて登録し、かつ、前記個人情報管理部を通じて前記個人情報データベースに前記共有情報登録要求に含まれる個人情報を前記共有情報登録要求に含まれる第２の識別子および前記共有情報番号と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部、として機能させるためのプログラム。
【請求項２５】
前記コンピュータを更に、前記共有情報データベースから検索された、前記共有情報参照要求に含まれる前記第１の識別子と対応付けられた１以上の共有情報を、共有情報の信頼度の昇順にソートする手段として機能させ、且つ、前記情報登録および情報配信管理部は、共有情報の信頼度の高い順に前記共有情報参照要求元の前記情報端末へ共有情報を送信するものである請求項２３または２４記載のプログラム。
【請求項２６】
前記コンピュータを更に、共有情報の開示を制限する情報端末の第２の識別子を記憶する開示制限データベースに記憶された第２の識別子と、前記共有情報取得要求に含まれる前記第２の識別子とを比較し、共有情報の開示を制限する情報端末の第２の識別子と一致する第２の識別子を有する情報端末に対して共有情報の開示を制限する情報開示制限部、として機能させる請求項２１、２３または２４記載のプログラム。
【請求項２７】
共有情報の登録および参照時に利用者によって使用される情報端末であって、所定のサーバ装置、すなわち、実世界の物体に取り付けられた第１の識別子を有する１以上のデバイスの有する前記第１の識別子と共有情報と該共有情報の登録に使用した前記情報端末に割り当てられた第２の識別子の各フィールドを有する共有情報データベースと、該共有情報データベースの各フィールドへのデータの登録および参照を行う共有情報管理部と、前記デバイスの有する第１の識別子と共有情報と該共有情報の登録に使用した前記情報端末に割り当てられた第２の識別子とを含む共有情報登録要求を前記情報端末から受信したとき、前記共有情報管理部を通じて前記共有情報データベースに前記共有情報登録要求に含まれる共有情報を前記共有情報登録要求に含まれる前記第１および第２の識別子と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部とを備えたサーバ装置と通信可能な情報端末であって、前記デバイスの有する第１の識別子を読み取る読取部と、入力部から共有情報の登録指示があったとき、前記読取部を通じて前記デバイスから読み取った第１の識別子と共有情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信し、前記サーバ装置から送られてくる共有情報を表示部に表示する制御部とを備えることを特徴とする情報端末。
【請求項２８】
共有情報の登録および参照時に利用者によって使用される情報端末であって、所定のサーバ装置、すなわち、実世界の物体に取り付けられた第１の識別子を有するデバイスの有する前記第１の識別子と共有情報と該共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記デバイスの有する第１の識別子と共有情報と該共有情報の登録に使用した前記情報端末に割り当てられた第２の識別子と個人情報とを含む共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度と対応付けて登録し、かつ、前記個人情報管理部を通じて前記個人情報データベースに前記共有情報登録要求に含まれる個人情報を前記共有情報登録要求に含まれる第２の識別子と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備えたサーバ装置と通信可能な情報端末であって、前記デバイスの有する第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信し、前記サーバ装置から送られてくる共有情報を表示部に表示する制御部とを備えることを特徴とする情報端末。
【請求項２９】
共有情報の登録および参照時に利用者によって使用される情報端末であって、所定のサーバ装置、すなわち、実世界の物体に取り付けられた第１の識別子を有するデバイスの有する前記第１の識別子と共有情報と該共有情報を一意に識別する共有情報番号と前記共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と前記共有情報番号と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記デバイスの有する第１の識別子と共有情報と該共有情報の登録に使用した前記情報端末に割り当てられた第２の識別子と個人情報とを含む共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度および新たに採番した共有情報番号と対応付けて登録し、かつ、前記個人情報管理部を通じて前記個人情報データベースに前記共有情報登録要求に含まれる個人情報を前記共有情報登録要求に含まれる第２の識別子および前記共有情報番号と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備えたサーバ装置と通信可能な情報端末であって、前記デバイスの有する第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信し、前記サーバ装置から送られてくる共有情報を表示部に表示する制御部とを備えることを特徴とする情報端末。
【発明の詳細な説明】
【技術分野】
【０００１】
本発明は、実世界の物に対してＩＤを添付可能なＲＦＩＤタグなどのデバイスにより特定される物に関連して利用者間で情報を共有するシステムに関する。
【背景技術】
【０００２】
従来の情報共有システムの一例が、特許文献１、特許文献２、特許文献３に記載されている。
【０００３】
特許文献１には、閲覧利用者が媒体に記された識別ＩＤコードをネットワークに接続できる端末に入力して、情報を取得するシステムについて記載しており、データベース参照をＷｅｂサーバに接続して行うことについて記載している。また、情報提供者、および情報のデータベースへの登録者間相互において、アクセス仲介した際の手数料徴収などの課金システムを備えることについて記載している。
【０００４】
特許文献２には、ＩＣカードなどの携帯蓄積装置を用いてユーザの行動履歴を収集し、このユーザの情報を提供された情報の確証とすることにより、プライバシーを保護しつつ情報の信頼性を高める方法について記載されている。そのために氏名や住所といったサービスの提供に必要な個人情報と活動の履歴を示す履歴情報を保持し、個人ＩＤにより特定される個人の個人情報、履歴情報を用いて、個人ＩＤにより特定される個人に適応したサービスを提供する方法、コミュニティ情報を提供した報酬としてクーポンを与える方法について記載されている。
【０００５】
特許文献３には、端末装置から入力されるグループ属性情報およびグループ識別情報をグループ情報格納手段に格納されたグループ情報と照合する認証手段と、前記端末装置からグループ属性情報に関連付けされて入力される報知情報を格納する報知情報格納手段と、前記認証手段により前記端末装置から入力されるグループ属性情報およびグループ識別情報が前記グループ情報格納手段に格納されたグループ情報と同一であると認識することにより、前記報知情報格納手段に格納された報知情報のうちグループ属性情報に関連付けされた報知情報のみを前記グループ属性情報および前記グループ識別情報が入力された前記端末装置に出力させる情報開示手段について記載されている。
【０００６】
【特許文献１】特開２００２−１６９７３６号公報
【特許文献２】特開２００２−３５２０１０号公報
【特許文献３】特開２００３−２６３５４９号公報
【発明の開示】
【発明が解決しようとする課題】
【０００７】
街中で例えば洒落たレストランの看板が目に留まったとき、食通ならば、どんな料理を出すのだろうとか、評判の良い料理はどれかなどと興味が沸くものである。このような興味に応えてくれる情報共有システムの代表例は、特許文献２に見られるようなＷｅｂ上に開設された掲示板システムであり、その店の話題を取り上げた掲示板に運良くたどり着ければ、その店に関する他の者の意見などを知ることができる。しかしながら、どのような内容をキーに検索すればその店の情報にたどり着けるかは一通りでないため、そのようなケースは稀か、極めて困難である。また、特許文献１では、閲覧可能な情報はＩＤによりインデックス化されて参照可能であるが、情報の登録者はシステムの提供者でしかないため、他の利用者との間で情報を共有することはできない。更に、特許文献３でも実世界の或る特定の場所や物に対する情報共有を不特定多数の者と行う概念はない。
【０００８】
また、特許文献２では、コミュニティに情報を提供した報酬としてクーポンを与えているが、あくまでも情報提供システムを提供する管理者から報酬を与えるという一方向の報酬でしかないため、情報を提供した利用者とその情報を参照した利用者間で報酬を授受し合うことによる情報共有は行えない。
【０００９】
本発明の目的は、実世界の物に対してＩＤ（Ｉｄｅｎｔｉｆｉｃａｔｉｏｎ）を添付可能なＲＦ（Ｒａｄｉｏ Ｆｒｅｑｕｅｎｃｙ）タグなどのデバイスにより、実世界の物や場所に関連する情報を利用者間で共有することのできる情報共有システムを提供することにある。
【００１０】
本発明の別の目的は、実世界の物や場所に関連する情報に対して価値を与え、その価値を利用者間で交換可能な情報共有システムを提供することにある。
【課題を解決するための手段】
【００１１】
本発明の第１の情報共有システムは、実世界の物体に取り付けられた第１の識別子を有する１以上のデバイスと、共有情報の登録および参照時に利用者によって使用される１以上の情報端末と、該情報端末と相互に通信可能なサーバ装置とを備え、前記サーバ装置は、前記デバイスの有する第１の識別子と共有情報と該共有情報の登録に使用した前記情報端末に割り当てられた第２の識別子の各フィールドを有する共有情報データベースと、該共有情報データベースの各フィールドへのデータの登録および参照を行う共有情報管理部と、前記デバイスの有する第１の識別子と共有情報と該共有情報の登録に使用した前記情報端末に割り当てられた第２の識別子とを含む共有情報登録要求を前記情報端末から受信したとき、前記共有情報管理部を通じて前記共有情報データベースに前記共有情報登録要求に含まれる共有情報を前記共有情報登録要求に含まれる前記第１および第２の識別子と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部とを備え、前記情報端末は、前記デバイスの有する第１の識別子を読み取る読取部と、入力部から共有情報の登録指示があったとき、前記読取部を通じて前記デバイスから読み取った第１の識別子と共有情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備えることを特徴とする。
【００１２】
本発明の第２の情報共有システムは、第１の情報共有システムにおいて、前記サーバ装置は、前記情報登録および情報配信管理部から共有情報の配信を要求した前記情報端末の前記第２の識別子の通知を受けて該通知された第２の識別子に対応する利用ポイントを減算し、前記情報登録および情報配信管理部を通して提供した共有情報の登録を要求した前記情報端末の前記第２の識別子の通知を受けて該通知された第２の識別子に対応する利用ポイントを加算する利用ポイント管理部を備えることを特徴とする。
【００１３】
本発明の第３の情報共有システムは、実世界の物体に取り付けられた第１の識別子を有する１以上のデバイスと、共有情報の登録および参照時に利用者によって使用される１以上の情報端末と、該情報端末と相互に通信可能なサーバ装置とを備え、前記サーバ装置は、前記デバイスの有する第１の識別子と共有情報と該共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記デバイスの有する第１の識別子と共有情報と該共有情報の登録に使用した前記情報端末に割り当てられた第２の識別子と個人情報とを含む共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度と対応付けて登録し、かつ、前記個人情報管理部を通じて前記個人情報データベースに前記共有情報登録要求に含まれる個人情報を前記共有情報登録要求に含まれる第２の識別子と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供した共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備え、前記情報端末は、前記デバイスの有する第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備えることを特徴とする。
【００１４】
本発明の第４の情報共有システムは、実世界の物体に取り付けられた第１の識別子を有する１以上のデバイスと、共有情報の登録および参照時に利用者によって使用される１以上の情報端末と、該情報端末と相互に通信可能なサーバ装置とを備え、前記サーバ装置は、前記デバイスの有する第１の識別子と共有情報と該共有情報を一意に識別する共有情報番号と前記共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と前記共有情報番号と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記デバイスの有する第１の識別子と共有情報と該共有情報の登録に使用した前記情報端末に割り当てられた第２の識別子と個人情報とを含む共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度と新たに採番した共有情報番号と対応付けて登録し、かつ、前記個人情報管理部を通じて前記個人情報データベースに前記共有情報登録要求に含まれる個人情報を前記共有情報登録要求に含まれる第２の識別子および前記共有情報番号と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備え、前記情報端末は、前記デバイスの有する第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備えることを特徴とする。
【００１５】
本発明の第５の情報共有システムは、第３または第４の情報共有システムにおいて、前記サーバ装置は、前記共有情報データベースから検索された、前記共有情報参照要求に含まれる前記第１の識別子と対応付けられた１以上の共有情報を、共有情報の信頼度の昇順にソートする手段を備え、前記情報登録および情報配信管理部は、共有情報の信頼度の高い順に前記共有情報参照要求元の前記情報端末へ共有情報を送信するものであることを特徴とする。
【００１６】
本発明の第６の情報共有システムは、第１、第３または第４の情報共有システムにおいて、前記サーバ装置は、共有情報の開示を制限する情報端末の第２の識別子を記憶する開示制限データベースと、前記共有情報取得要求に含まれる前記第２の識別子と前記開示制限データベースに記憶された第２の識別子とを比較し、共有情報の開示を制限する情報端末の第２の識別子と一致する第２の識別子を有する情報端末に対して共有情報の開示を制限する情報開示制限部とを備えることを特徴とする。
【００１７】
本発明の第７の情報共有システムは、第１、第３または第４の情報共有システムにおいて、前記情報端末は、前記第２の識別子として、内蔵するメモリに記憶された識別子を使用することを特徴とする。
【００１８】
本発明の第８の情報共有システムは、第１、第３または第４の情報共有システムにおいて、前記情報端末は、前記第２の識別子として、利用者の指示に従って外部のデバイスから読み取った識別子を使用することを特徴とする。
【００１９】
本発明の第１の共有情報方法は、ａ）情報提供者の情報端末が、実世界の物体に取り付けられた第１の識別子を有するデバイスの前記第１の識別子を読み取り、該読み取った第１の識別子と個人情報と自情報端末に割り当てられた第２の識別子とを含む共有情報登録要求をサーバ装置へ送信するステップ、ｂ）前記サーバ装置の情報登録および情報配信管理部が、前記共有情報登録要求を前記情報端末から受信し、前記デバイスの有する第１の識別子と共有情報と該共有情報の登録に使用した前記情報端末に割り当てられた第２の識別子の各フィールドを有する共有情報データベースの前記各フィールドへのデータの登録および参照を行う共有情報管理部を通じて、前記共有情報データベースに前記共有情報登録要求に含まれる共有情報を前記共有情報登録要求に含まれる前記第１および第２の識別子と対応付けて登録するステップ、ｃ）情報参照者の情報端末が、前記デバイスの前記第１の識別子を読み取り、該読み取った第１の識別子と自情報端末に割り当てられた前記第２の識別子とを含む共有情報取得要求を前記サーバ装置へ送信するステップ、ｄ）前記サーバ装置の前記情報登録および情報配信管理部が、前記共有情報参照要求を前記情報端末から受信し、前記共有情報管理部を通じて、前記共有情報データベースから前記共有情報参照要求に含まれる前記第１の識別子と対応付けられた共有情報を検索して前記共有情報参照要求元の前記情報端末へ送信するステップ、を含むことを特徴とする。
【００２０】
本発明の第２の情報共有方法は、第１の情報共有方法において、前記サーバ装置の利用ポイント管理部が、前記情報登録および情報配信管理部から共有情報を提供された前記情報端末の前記第２の識別子の通知を受けて該通知された第２の識別子に対応する利用ポイントを減算し、前記情報登録および情報配信管理部を通して提供した共有情報を登録した前記情報端末の前記第２の識別子の通知を受けて該通知された第２の識別子に対応する利用ポイントを加算することを特徴とする。
【００２１】
本発明の第３の情報共有方法は、ａ）情報提供者の情報端末が、実世界の物体に取り付けられた第１の識別子を有するデバイスの前記第１の識別子を読み取り、該読み取った第１の識別子と共有情報と個人情報と自情報端末に割り当てられた第２の識別子とを含む共有情報登録要求をサーバ装置へ送信するステップ、ｂ）前記サーバ装置の情報登録および情報配信管理部が、前記共有情報登録要求を前記情報端末から受信し、個人情報を解析して共有情報の信頼度を計算する情報信頼性格付け部により前記共有情報登録要求に含まれる前記個人情報から前記共有情報の信頼度を計算するステップ、ｃ）前記サーバ装置の情報登録および情報配信管理部が、前記デバイスの有する第１の識別子と共有情報と該共有情報の登録に使用した前記情報端末に割り当てられた第２の識別子と情報信頼度の各フィールドを有する共有情報データベースの前記各フィールドへのデータの登録および参照を行う共有情報管理部を通じて、前記共有情報データベースに前記共有情報登録要求に含まれる共有情報を前記共有情報登録要求に含まれる前記第１および第２の識別子ならびに前記計算された前記共有情報の信頼度と対応付けて登録し、かつ、前記個人情報管理部を通じて前記個人情報データベースに前記共有情報登録要求に含まれる個人情報を前記共有情報登録要求に含まれる第２の識別子と対応付けて登録するステップ、ｄ）情報参照者の情報端末が、前記デバイスの前記第１の識別子を読み取り、該読み取った第１の識別子と自情報端末に割り当てられた前記第２の識別子とを含む共有情報取得要求を前記サーバ装置へ送信するステップ、ｅ）前記サーバ装置の前記情報登録および情報配信管理部が、前記共有情報参照要求を前記情報端末から受信し、前記共有情報管理部を通じて、前記共有情報データベースから前記共有情報参照要求に含まれる前記第１の識別子と対応付けられた共有情報を検索して前記共有情報参照要求元の前記情報端末へ送信するステップ、ｆ）前記サーバ装置の利用ポイント管理部が、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算するステップ、を含むことを特徴とする。
【００２２】
本発明の第４の情報共有方法は、ａ）情報提供者の情報端末が、実世界の物体に取り付けられた第１の識別子を有するデバイスの前記第１の識別子を読み取り、該読み取った第１の識別子と共有情報と個人情報と自情報端末に割り当てられた第２の識別子とを含む共有情報登録要求をサーバ装置へ送信するステップ、ｂ）前記サーバ装置の情報登録および情報配信管理部が、前記共有情報登録要求を前記情報端末から受信し、個人情報を解析して共有情報の信頼度を計算する情報信頼性格付け部により前記共有情報登録要求に含まれる前記個人情報から前記共有情報の信頼度を計算するステップ、ｃ）前記サーバ装置の情報登録および情報配信管理部が、前記デバイスの有する第１の識別子と共有情報と該共有情報を一意に識別する共有情報番号と前記共有情報の登録に使用した前記情報端末に割り当てられた第２の識別子と情報信頼度の各フィールドを有する共有情報データベースの前記各フィールドへのデータの登録および参照を行う共有情報管理部を通じて、前記共有情報データベースに前記共有情報登録要求に含まれる共有情報を前記共有情報登録要求に含まれる前記第１および第２の識別子ならびに前記計算された前記共有情報の信頼度および前記共有情報番号と対応付けて登録し、かつ、前記個人情報管理部を通じて前記個人情報データベースに前記共有情報登録要求に含まれる個人情報を前記共有情報登録要求に含まれる第２の識別子および前記共有情報番号と対応付けて登録するステップ、ｄ）情報参照者の情報端末が、前記デバイスの前記第１の識別子を読み取り、該読み取った第１の識別子と自情報端末に割り当てられた前記第２の識別子とを含む共有情報取得要求を前記サーバ装置へ送信するステップ、ｅ）前記サーバ装置の前記情報登録および情報配信管理部が、前記共有情報参照要求を前記情報端末から受信し、前記共有情報管理部を通じて、前記共有情報データベースから前記共有情報参照要求に含まれる前記第１の識別子と対応付けられた共有情報を検索して前記共有情報参照要求元の前記情報端末へ送信するステップ、ｆ）前記サーバ装置の利用ポイント管理部が、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算するステップ、を含むことを特徴とする。
【００２３】
本発明の第５の情報共有方法は、第３または第４の情報共有方法において、前記サーバ装置は、前記共有情報データベースから検索された、前記共有情報参照要求に含まれる前記第１の識別子と対応付けられた１以上の共有情報を、共有情報の信頼度の昇順にソートし、前記情報登録および情報配信管理部は、共有情報の信頼度の高い順に前記共有情報参照要求元の前記情報端末へ共有情報を送信することを特徴とする。
【００２４】
本発明の第６の情報共有方法は、第１、第３または第４の情報共有方法において、前記サーバ装置の情報開示制限部が、共有情報の開示を制限する情報端末の第２の識別子を記憶する開示制限データベースに記憶された第２の識別子と、前記共有情報取得要求に含まれる前記第２の識別子とを比較し、共有情報の開示を制限する情報端末の第２の識別子と一致する第２の識別子を有する情報端末に対して共有情報の開示を制限することを特徴とする。
【００２５】
本発明の第１のサーバ装置は、共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置であって、前記デバイスの有する第１の識別子と共有情報と該共有情報の登録に使用した前記情報端末に割り当てられた第２の識別子の各フィールドを有する共有情報データベースと、該共有情報データベースの各フィールドへのデータの登録および参照を行う共有情報管理部と、前記共有情報登録要求を前記情報端末から受信したとき、前記共有情報管理部を通じて前記共有情報データベースに前記共有情報登録要求に含まれる共有情報を前記共有情報登録要求に含まれる前記第１および第２の識別子と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部とを備えることを特徴とする。
【００２６】
本発明の第２のサーバ装置は、第１のサーバ装置において、前記情報登録および情報配信管理部から共有情報を提供された前記情報端末の前記第２の識別子の通知を受けて該通知された第２の識別子に対応する利用ポイントを減算し、前記情報登録および情報配信管理部を通して提供した共有情報を登録した前記情報端末の前記第２の識別子の通知を受けて該通知された第２の識別子に対応する利用ポイントを加算する利用ポイント管理部を備えることを特徴とする。
【００２７】
本発明の第３のサーバ装置は、共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置であって、前記デバイスの有する第１の識別子と共有情報と該共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度と対応付けて登録し、かつ、前記個人情報管理部を通じて前記個人情報データベースに前記共有情報登録要求に含まれる個人情報を前記共有情報登録要求に含まれる第２の識別子と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備えることを特徴とする。
【００２８】
本発明の第４のサーバ装置は、共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置であって、前記デバイスの有する第１の識別子と共有情報と該共有情報を一意に識別する共有情報番号と前記共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と前記共有情報番号と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度および新たに採番した共有情報番号と対応付けて登録し、かつ、前記個人情報管理部を通じて前記個人情報データベースに前記共有情報登録要求に含まれる個人情報を前記共有情報登録要求に含まれる第２の識別子および前記共有情報番号と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備えることを特徴とする。
【００２９】
本発明の第５のサーバ装置は、第３または第４のサーバ装置において、前記共有情報データベースから検索された、前記共有情報参照要求に含まれる前記第１の識別子と対応付けられた１以上の共有情報を、共有情報の信頼度の昇順にソートする手段を備え、前記情報登録および情報配信管理部は、共有情報の信頼度の高い順に前記共有情報参照要求元の前記情報端末へ共有情報を送信するものであることを特徴とする。
【００３０】
本発明の第６のサーバ装置は、第１、第３または第４のサーバ装置において、共有情報の開示を制限する情報端末の第２の識別子を記憶する開示制限データベースと、前記共有情報取得要求に含まれる前記第２の識別子と前記開示制限データベースに記憶された第２の識別子とを比較し、共有情報の開示を制限する情報端末の第２の識別子と一致する第２の識別子を有する情報端末に対して共有情報の開示を制限する情報開示制限部とを備えることを特徴とする。
【００３１】
本発明の第１のプログラムは、共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置を構成するコンピュータを、前記デバイスの有する第１の識別子と共有情報と該共有情報の登録に使用した前記情報端末に割り当てられた第２の識別子の各フィールドを有する共有情報データベースの各フィールドへのデータの登録および参照を行う共有情報管理部、前記共有情報登録要求を前記情報端末から受信したとき、前記共有情報管理部を通じて前記共有情報データベースに前記共有情報登録要求に含まれる共有情報を前記共有情報登録要求に含まれる前記第１および第２の識別子と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部、として機能させることを特徴とする。
【００３２】
本発明の第２のプログラムは、第１のプログラムにおいて、前記コンピュータを更に、前記情報登録および情報配信管理部から共有情報を提供された前記情報端末の前記第２の識別子の通知を受けて該通知された第２の識別子に対応する利用ポイントを減算し、前記情報登録および情報配信管理部を通して提供した共有情報を登録した前記情報端末の前記第２の識別子の通知を受けて該通知された第２の識別子に対応する利用ポイントを加算する利用ポイント管理部、として機能させることを特徴とする。
【００３３】
本発明の第３のプログラムは、共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置を構成するコンピュータを、前記デバイスの有する第１の識別子と共有情報と該共有情報の登録に使用した前記情報端末に割り当てられた第２の識別子と情報信頼度の各フィールドを有する共有情報データベースの各フィールドへのデータの登録および参照を行う共有情報管理部、前記第２の識別子と個人情報の各フィールドを有する個人情報データベースの各フィールドへのデータの登録および参照を行う個人情報管理部、個人情報を解析して共有情報の信頼度を計算する情報信頼性格付け部、前記共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度と対応付けて登録し、かつ、前記個人情報管理部を通じて前記個人情報データベースに前記共有情報登録要求に含まれる個人情報を前記共有情報登録要求に含まれる第２の識別子と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部、として機能させることを特徴とする。
【００３４】
本発明の第４のプログラムは、共有情報の登録および参照時に利用者によって使用される情報端末で且つ実世界の物体に取り付けられた第１の識別子を有するデバイスの有する前記第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信する制御部とを備える情報端末と相互に通信可能なサーバ装置を構成するコンピュータを、前記デバイスの有する第１の識別子と共有情報と該共有情報を一意に識別する共有情報番号と前記共有情報の登録に使用した前記情報端末に割り当てられた第２の識別子と情報信頼度の各フィールドを有する共有情報データベースの各フィールドへのデータの登録および参照を行う共有情報管理部、前記第２の識別子と前記共有情報番号と個人情報の各フィールドを有する個人情報データベースの各フィールドへのデータの登録および参照を行う個人情報管理部、個人情報を解析して共有情報の信頼度を計算する情報信頼性格付け部、前記共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度および新たに採番した共有情報番号と対応付けて登録し、かつ、前記個人情報管理部を通じて前記個人情報データベースに前記共有情報登録要求に含まれる個人情報を前記共有情報登録要求に含まれる第２の識別子および前記共有情報番号と対応付けて登録し、前記共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部、として機能させることを特徴とする。
【００３５】
本発明の第５のプログラムは、第３または第４のプログラムにおいて、前記コンピュータを更に、前記共有情報データベースから検索された、前記共有情報参照要求に含まれる前記第１の識別子と対応付けられた１以上の共有情報を、共有情報の信頼度の昇順にソートする手段として機能させ、且つ、前記情報登録および情報配信管理部は、共有情報の信頼度の高い順に前記共有情報参照要求元の前記情報端末へ共有情報を送信するものであることを特徴とする。
【００３６】
本発明の第６のプログラムは、第１、第３または第４のプログラムにおいて、前記コンピュータを更に、共有情報の開示を制限する情報端末の第２の識別子を記憶する開示制限データベースに記憶された第２の識別子と、前記共有情報取得要求に含まれる前記第２の識別子とを比較し、共有情報の開示を制限する情報端末の第２の識別子と一致する第２の識別子を有する情報端末に対して共有情報の開示を制限する情報開示制限部、として機能させることを特徴とする。
【００３７】
本発明の第１の情報端末は、共有情報の登録および参照時に利用者によって使用される情報端末であって、所定のサーバ装置、すなわち、実世界の物体に取り付けられた第１の識別子を有する１以上のデバイスの有する前記第１の識別子と共有情報と該共有情報の登録に使用した前記情報端末に割り当てられた第２の識別子の各フィールドを有する共有情報データベースと、該共有情報データベースの各フィールドへのデータの登録および参照を行う共有情報管理部と、前記デバイスの有する第１の識別子と共有情報と該共有情報の登録に使用した前記情報端末に割り当てられた第２の識別子とを含む共有情報登録要求を前記情報端末から受信したとき、前記共有情報管理部を通じて前記共有情報データベースに前記共有情報登録要求に含まれる共有情報を前記共有情報登録要求に含まれる前記第１および第２の識別子と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部とを備えたサーバ装置と通信可能な情報端末であって、前記デバイスの有する第１の識別子を読み取る読取部と、入力部から共有情報の登録指示があったとき、前記読取部を通じて前記デバイスから読み取った第１の識別子と共有情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信し、前記サーバ装置から送られてくる共有情報を表示部に表示する制御部とを備えることを特徴とする。
【００３８】
本発明の第２の情報端末は、共有情報の登録および参照時に利用者によって使用される情報端末であって、所定のサーバ装置、すなわち、実世界の物体に取り付けられた第１の識別子を有するデバイスの有する前記第１の識別子と共有情報と該共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記デバイスの有する第１の識別子と共有情報と該共有情報の登録に使用した前記情報端末に割り当てられた第２の識別子と個人情報とを含む共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度と対応付けて登録し、かつ、前記個人情報管理部を通じて前記個人情報データベースに前記共有情報登録要求に含まれる個人情報を前記共有情報登録要求に含まれる第２の識別子と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備えたサーバ装置と通信可能な情報端末であって、前記デバイスの有する第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信し、前記サーバ装置から送られてくる共有情報を表示部に表示する制御部とを備えることを特徴とする。
【００３９】
本発明の第３の情報端末は、共有情報の登録および参照時に利用者によって使用される情報端末であって、所定のサーバ装置、すなわち、実世界の物体に取り付けられた第１の識別子を有するデバイスの有する前記第１の識別子と共有情報と該共有情報を一意に識別する共有情報番号と前記共有情報の登録に使用した前記情報端末に割り当てられた第２の識別子と情報信頼度の各フィールドを有する共有情報データベースと、該共有情報データベースの各フィールドへのデータの登録および参照を行う共有情報管理部と、前記第２の識別子と前記共有情報番号と個人情報の各フィールドを有する個人情報データベースと、該個人情報データベースの各フィールドへのデータの登録および参照を行う個人情報管理部と、個人情報を解析して共有情報の信頼度を計算する情報信頼性格付け部と、前記デバイスの有する第１の識別子と共有情報と該共有情報の登録に使用した前記情報端末に割り当てられた第２の識別子と個人情報とを含む共有情報登録要求を前記情報端末から受信したとき、前記情報信頼性格付け部により前記共有情報登録要求に含まれる前記共有情報の信頼度を前記共有情報登録要求に含まれる前記個人情報から計算し、前記共有情報管理部を通じて前記共有情報データベースに前記共有情報登録要求に含まれる共有情報を前記共有情報登録要求に含まれる前記第１および第２の識別子ならびに前記計算した共有情報の信頼度および新たに採番した共有情報番号と対応付けて登録し、かつ、前記個人情報管理部を通じて前記個人情報データベースに前記共有情報登録要求に含まれる個人情報を前記共有情報登録要求に含まれる第２の識別子および前記共有情報番号と対応付けて登録し、前記デバイスの有する第１の識別子と共有情報の参照に使用した前記情報端末に割り当てられた第２の識別子とを含む共有情報参照要求を前記情報端末から受信したとき、前記共有情報管理部を通じて、前記共有情報データベースから前記共有情報参照要求に含まれる前記第１の識別子と対応付けられた共有情報を検索して前記共有情報参照要求元の前記情報端末へ送信する情報登録および情報配信管理部と、前記情報登録および情報配信管理部から共有情報を提供された前記情報端末の前記第２の識別子および提供された共有情報の信頼度の通知を受けて該通知された第２の識別子に対応する利用ポイントを通知された信頼度が高いほどより多く減算し、前記情報登録および情報配信管理部を通して提供した共有情報を登録した前記情報端末の前記第２の識別子とその共有情報の信頼度の通知を受けて該通知された第２の識別子に対応する利用ポイントを通知された信頼度が高いほどより多く加算する利用ポイント管理部とを備えたサーバ装置と通信可能な情報端末であって、前記デバイスの有する第１の識別子を読み取る読取部と、入力部から共有情報の登録指示があったとき、前記読取部を通じて前記デバイスから読み取った第１の識別子と共有情報と個人情報と自情報端末に割り当てられた前記第２の識別子とを含む共有情報登録要求を前記サーバ装置へ送信し、前記入力部から共有情報の取得指示があったとき、前記読取部を通じて前記デバイスから読み取った第１の識別子と自情報端末に割り当てられた前記第２の識別子とを含む共有情報取得要求を前記サーバ装置へ送信し、前記サーバ装置から送られてくる共有情報を表示部に表示する制御部とを備えることを特徴とする。
【００４０】
『作用』
本発明にあっては、レストランの表看板などの実世界の場所や物にユニークなＩＤを持ったＲＦタグなどのデバイスが取り付けられており、その場所や物に関連する情報を提供したい利用者が自身の情報端末でそのデバイスのＩＤを読み取り、他の利用者に提供したい情報と前記ＩＤとを含む共有情報登録要求を情報端末からサーバ装置へ送信すると、共有情報データベースに前記ＩＤに対応して共有情報が登録され、また、その場所や物に関連する情報を参照したい利用者が自身の情報端末でそのデバイスのＩＤを読み取り、このＩＤを含む共有情報取得要求を情報端末からサーバ装置へ送信すると、共有情報データベースから前記ＩＤに対応して登録された共有情報が検索され、取得要求元の情報端末へ送られてくるため、実世界の場所や物に関連する情報を利用者間で手軽に共有することができる。
【発明の効果】
【００４１】
本発明によれば、以下のような効果が得られる。
【００４２】
第１の効果は、情報共有にＲＦタグなどＵＩＤを持ったデバイスを用いることで、物や場所などの実世界の物をきっかけに簡単に情報交換を行うための仕組みを提供できることにある。その理由は、ＲＦタグなどのデバイスを物に貼り付け、そのＵＩＤと物や場所に対する情報を関連付けて、ＵＩＤをインデックスとしてＵＩＤに連動した情報を引き出せるためである。
【００４３】
第２の効果は、実世界の物や場所に関連する情報に対して価値を与え、その価値を利用者間で交換可能な仕組みを提供できることにある。その理由は、情報提供者や情報利用者が情報を登録または取得する際に使用する情報端末にユニークなＩＤを割り付けることで、情報の提供者および情報の利用者を特定し、そのＩＤ毎にポイントを管理し、提供される情報に対してポイントを付与し、提供した情報が利用されることに対し情報提供者のポイントを加算、情報を利用することに対し情報利用者のポイントを減算するためである。
【発明を実施するための最良の形態】
【００４４】
『第１の実施の形態』
次に、本発明の第１の実施の形態について図面を参照して詳細に説明する。なお、以下の実施の形態においては、ユニークな識別子を持ったデバイスとしてＲＦＩＤタグを用いるが、ユニークに判別可能な識別子を持ったデバイスであれば、ＱＲコードなどのバーコードを印刷した媒体でも構わない。
【００４５】
図１を参照すると、本発明の第１の実施の形態は、ＲＦタグ１０１と、ＲＦタグスキャン機能付き情報端末１０２と、サーバ装置１１２とから構成され、サーバ装置１１２は、情報登録および情報配信管理部１０３と、情報開示制限部１０４と、開示制限ＵＩＤデータベース１１１と、利用ポイント管理部１０５と、情報信頼性格付け部１０６と、共有情報管理部１０７と、共有情報データベース１０８と、個人情報管理部１０９と、個人情報データベース１１０とから構成される。
【００４６】
ＲＦタグ１０１は、ユニークなＩＤ（以下ＵＩＤ（Ｕｎｉｑｕｅ ＩＤｅｎｔｉｆｉｃａｔｉｏｎ）と称す）を持つＲＦＩＤタグである。ＲＦタグ１０１は、実世界の物体に貼り付けられるなどして、実世界の物体に１対１に対応付けられている。これにより、ＲＦタグ１０１が有するＵＩＤは、そのＲＦタグ１０１が貼り付けられている実世界の物体を一意に識別する識別子となる。
【００４７】
ＲＦタグスキャン機能付き情報端末（以下、単に情報端末と称す）１０２は、実世界の物に関して利用者間で情報を共有するために個々の利用者が使用する携帯型の端末装置である。情報端末１０２は、ＲＦタグ１０１をスキャンしてＵＩＤを取得する機能、有線または無線の通信機能を用いてネットワークを通じてサーバ装置１１２の情報登録および情報配信管理部１０３にアクセスする機能、共有情報の参照機能、つまりＲＦタグ１０１のＵＩＤをサーバ装置１１２に送信し、そのＵＩＤに関連付けられた実世界の物に対して他の利用者が入力した共有情報をサーバ装置１１２から受信して利用者に提示する機能、共有情報の登録機能、つまりＲＦタグ１０１と関連付けられた実世界の物に対して利用者が入力した共有情報をＲＦタグ１０１のＵＩＤと共にサーバ装置１１３に送信する機能を持つ。また、共有情報の参照時には、その参照のために支払ったポイントの情報を利用者に提示し、共有情報の登録時には、その登録に対して付与されたポイントの情報を利用者に提示する機能を持つ。
【００４８】
図２を参照すると、情報端末１０２の一例は、ＭＰＵ１２１とそのバス１２２に接続されたＲＯＭ１２３、ＲＡＭ１２４、ＲＦタグ読取部１２５、通信部１２６、入力部１２７および表示部１２８とから構成されている。ＲＦタグ読取部１２５は、ＲＦタグ１０１に記録されているＵＩＤを読み取る機能を有する。入力部１２７は、利用者からの指示およびデータを入力するキーボードなどで構成される。表示部１２８は、利用者に対して共有情報などを表示するＬＣＤなどで構成される。通信部１２６は、無線ＬＡＮや携帯電話通信などによる無線または有線によりサーバ装置１１２と相互に通信する機能を有する。ＲＡＭ１２４は、入力部１２７から入力された登録対象となる共有情報およびサーバ装置１１２から受信した共有情報などを一時的に記憶するために利用され、ＲＯＭ１２３は、ＭＰＵ１２１で実行する各種プログラム、当該情報端末１０２を一意に識別可能とするユニークな識別子（端末のＵＩＤ）などを記憶する。ＭＰＵ１２１は、ＲＯＭ１２３に記憶されたプログラムを実行することにより当該情報端末全体を制御する。
【００４９】
再び図１を参照すると、情報登録および情報配信管理部１０３は、利用ポイント管理部１０５、情報信頼性格付け部１０６、共有情報管理部１０７および個人情報管理部１０９を管理制御し、情報端末１０２からその情報端末１０２のＵＩＤとＲＦタグ１０１のＵＩＤを受信し、その結果として個人情報データベース１１０に当該ＲＦタグ１０１のＵＩＤに関連して記憶されている共有情報と必要に応じて個人情報データベース１１０に記憶されている当該共有情報を登録した個人の情報を情報端末１０２に配信する機能、および情報端末１０２からＲＦタグ１０１のＵＩＤとその情報端末１０２のＵＩＤとＲＦタグ１０１に関連付けられた共有情報とその情報端末１０２を保有する利用者が入力した個人情報を受信し、その結果として共有情報データベース１０８に共有情報および個人情報データベース１１０に個人情報を登録する機能などを備えている。
【００５０】
情報開示制限部１０４は、共有情報データベース１０８に登録された共有情報を利用者に提供する際、共有情報の取得を要求した情報端末１０２のＵＩＤを確認し、例えば情報開示を禁止された端末のＵＩＤの場合は、共有情報を見せないなどの処理を行う、共有情報の開示制限を行う機能を備えている。
【００５１】
開示制限ＵＩＤデータベース１１１は、例えば情報開示を禁止する端末のＵＩＤを保持するデータベースであり、情報開示制限部１０４により使用され、任意の端末に対して共有情報の開示／非開示を決定づけるために利用される。共有情報の開示と非開示の２通りでなく、開示する場合の開示レベルを保持するものであっても良い。開示制限ＵＩＤデータベース１１１の構成例を図３に示す。
【００５２】
図３に示す開示制限ＵＩＤデータベース１１１は、共有情報取得端末ＵＩＤ７０１と情報開示レベル７０２の２つのデータベースフィールドを持つ。
【００５３】
共有情報提供端末ＵＩＤ７０１は、共有情報を提供する者を識別するためのユニークな番号であり、その者が保有する情報端末１０２のＵＩＤが設定される。
【００５４】
情報開示レベル７０２は、共有情報取得端末ＵＩＤ７０１の情報端末１０２を持つ利用者に対して、共有情報を開示するか否か、開示する場合にはどのレベルの情報まで開示するかを示す情報である。本実施の形態では、情報開示レベル７０２は、レベル０、レベル１、レベル２の３レベルあり、レベル０は共有情報を一切開示しないレベル、レベル１は共有情報の一部（例えば共有情報が見出し部分と本体部分とから成るテキストの場合、見出し部分）だけを開示するレベル、レベル２は共有情報の全てを開示するレベル、となっている。この場合、いわゆるブラックリストに載っている利用者には共有情報を一切開示しないレベル０を設定し、それ以外の利用者でも、共有情報の利用時に正規の利用ポイントより少ないポイントしか支払わないことを条件に本システムを利用する利用者にはレベル１、正規の利用ポイントを支払うことを条件に本システムを利用する利用者にはレベル２を設定することができる。このように情報開示レベル７０２のフィールドを用いることで例えば情報利用者の支払うポイント量が多ければ、より多い情報を開示するなどポイント量に併せて開示する情報量を変化させることができる。
【００５５】
利用ポイント管理部１０５は、共有情報データベース１０８に登録されている情報を或る利用者が閲覧した場合に、その閲覧利用者が保有するポイントを減算すると共に、閲覧された共有情報を登録した利用者が保有するポイントを加算する機能を備えている。各利用者毎の最新の累計ポイントは、図４に示されるように、利用ポイント管理部１０５によりアクセス可能なポイント記憶部１３１に、端末ＵＩＤ１３２に対応するポイント１３３として記憶されている。本実施の形態では、このポイント記憶部１３１に記憶されたポイントに対して加算や減算を行う。サーバ装置１１２が提供する情報共有サービスを利用する利用者が現金やクレジットカードにより購入したポイントは、ポイント記憶部１３１に記憶され、そのポイント分のサービスを受けることができる。また、ポイントを現金に交換するサービスをサーバ装置１１２の運営者であるサービス提供者が提供することで、共有情報の提供により獲得したポイントを現金に交換することも可能である。ポイントを現金に交換する場合は、一定割合の交換手数料をサービス提供者が取得することで、サービス提供者が差益を得ることが可能である。ここでは、サーバ装置１１２において各利用者の累計ポイントを一括管理する構成を採用しているが、いわゆる電子マネーの授受と同様に利用者の情報端末１０２とサーバ装置１１２との間でポイント情報を授受する構成を採用してもよい。
【００５６】
情報信頼性格付け部１０６は、或る利用者が共有情報データベース１０８に登録した共有情報の信頼度を計算する機能を備える。情報信頼性格付け部１０６は、共有情報データベース１０８に登録された共有情報と共に個人情報データベース１１０に登録された個人情報の開示レベルに応じて、個人情報の開示量が多い場合は情報信頼性の格付けを高く設定し、個人情報の開示レベルが少ない場合は情報信頼性の格付けを低く設定する処理を行う。個人情報から計算された共有情報の信頼度は、後述するように、共有情報を参照した利用者が支払うポイント量、共有情報を登録した利用者が獲得するポイント量に反映され、また同じＲＦタグ１０１のＵＩＤに関連して複数の共有情報が登録されている場合の共有情報間の参照時の優先度に反映される。
【００５７】
共有情報データベース１０８は、実世界の物に関して利用者間で共有する情報を蓄積するデータベースであり、共有情報管理部１０７は、この共有情報データベース１０８への共有情報の登録機能および参照機能を有する管理部である。共有情報データベース１０８は、最低限のデータベースのフィールドとして物や場所に関連付けられたＵＩＤをインデックスとする共有情報を持つ。共有情報データベース１０８の構成例を図５に示す。
【００５８】
図５に示す共有情報データベース１０８は、６つのデータベースフィールド、即ち、共有情報番号５０１、場所や物に割り当てられたＵＩＤ５０２、共有情報５０３、共有情報提供端末ＵＩＤ５０４、情報信頼度５０５および個人情報開示フラグ５０６を持つ。
【００５９】
共有情報番号５０１は、共有情報提供者が保有する情報端末１０２から受ける共有情報に対して付与したユニークな番号である。この番号５０１は、登録された共有情報に対してユニークな番号体系であれば何でもよく、例えば、提供された共有情報を共有情報データベース１０８に新たに登録する度にインクリメントされるようなシリアル番号でよい。ただし、データベースに登録可能な番号は有限であることから、実装形態によっては時間経過と共に古い情報から削除し、先の削除した番号を流用してもよい。
【００６０】
場所や物に割り当てられたＵＩＤ５０２は、場所や物をユニークに区別するために貼り付けられたＲＦタグ１０１のＵＩＤである。
【００６１】
共有情報５０３は、利用者間で共有する情報そのものである。共有情報５０３は、実世界の物や場所に関連付けられた情報であればテキストや画像など何でもよい。
【００６２】
共有情報提供端末ＵＩＤ５０４は、共有情報５０３を提供した情報提供者が保有する情報端末１０２のユニークな識別子である。
【００６３】
情報信頼度５０５は、共有情報５０３の信頼度を示す指数である。前述したように情報信頼度５０５は、共有情報５０３を登録した利用者の個人情報の開示レベルに応じて格付け（計算）される。
【００６４】
個人情報開示フラグ５０６は、共有情報５０３の提供者（登録者）がその共有情報５０３と共に提供する個人情報の開示／非開示を示すフラグである。
【００６５】
再び図１を参照すると、個人情報データベース１１０は、共有情報を提供した利用者の個人情報を記憶するデータベースであり、個人情報管理部１０９は、この個人情報データベース１１０への個人情報の登録および参照機能を有する管理部である。個人情報データベース１１０は、共有情報と共に情報信頼性の格付け処理のために使用され、情報端末１０２により提供される個人情報を蓄える。個人情報データベース１１０の構成例を図６に示す。
【００６６】
図６に示す個人情報データベース１１０は、共有情報提供端末ＵＩＤ６０１と個人情報６０２との２つのデータベースフィールドを持つ。
【００６７】
共有情報提供端末ＵＩＤ６０１は、共有情報を提供した者を識別するためのユニークな番号であり、その者が保有する情報端末１０２のＵＩＤが設定される。
【００６８】
個人情報６０２は、共有情報を提供した者に関する情報そのものである。個人情報６０２としては、氏名、年齢、職業、住所、電話番号、メールアドレスその他各種の情報が考えられる。この個人情報６０２は、その共有情報提供端末ＵＩＤ６０１を有する情報端末１０２の利用者によって提供された共有情報が図５の共有情報５０３とするとき、個人情報開示フラグ５０６が開示する旨を示す値になっていれば、その共有情報が他の利用者に提供される際に利用者に同時に提供される。個人情報開示フラグ５０６が不開示を示す値になっていれば、個人情報６０２は開示されないが、情報信頼性格付け部１０６により個人情報の開示レベルに応じて共有情報５０３の信頼性が格付けされるため、共有情報提供時に個人情報を明かさずに提供された共有情報であっても、個人情報の代わりに情報信頼度５０５を提供することにより、共有情報の信頼度を利用者は確認可能である。
【００６９】
個人情報データベース１１０の他の構成例を図７に示す。図７に示す個人情報データベース１１０は、図６に示した個人情報データベースが有する２つのデータベースフィールド（共有情報提供端末ＵＩＤ６０１と個人情報６０２）に加えて、共有情報番号６０３のデータベースフィールドを持つ。
【００７０】
共有情報番号６０３は、図５に示した共有情報データベース１０８における共有情報番号５０１に相当する。図６の場合は、共有情報提供端末ＵＩＤ６０１毎（従って情報提供者毎）に個人情報が管理されるが、図７の場合は、同じ情報提供者であっても、提供される共有情報毎に個人情報が管理される。このため、情報提供者は、提供する共有情報毎に個人情報の開示レベルを変更することが可能である。本実施の形態においては、個人情報データベース１１０は図７に示す構成を持つものとして説明する。
【００７１】
上述したような機能を有するサーバ装置１１２は、コンピュータとプログラムとで実現することができる。サーバ装置１１２を実現するコンピュータのハードウェア構成例を図８に示す。同図を参照すると、サーバ装置１１２を実現するコンピュータの一例は、ＭＰＵ１４１とそのバス１４２に接続されたＲＯＭ１４３、ＲＡＭ１４４、通信部１４５、ディスク制御部１４６、入力部１４７および表示部１４８と、ディスク制御部１４６に接続されたＨＤＤ等のディスク装置１４９とから構成されている。通信部１２６は、無線ＬＡＮや携帯電話通信などによる無線または有線により情報端末１０２と相互に通信する機能を有する。ＲＡＭ１４４は、情報端末１０２から受信した共有情報などを一時的に記憶するために利用される。ディスク制御部１４６によって制御されるディスク装置１４９は、共有情報データベース１０８、個人情報データベース１１０、開示制限ＵＩＤデータベース１１１およびポイント記憶部１３１の記憶域などとして利用される。入力部１４７は、サーバ管理者からの指示およびデータを入力するキーボードなどで構成され、表示部１４８は、サーバ管理者に対して管理情報などを表示するＬＣＤなどで構成される。ＲＯＭ１４３は、ＭＰＵ１４１で実行する各種プログラムを記憶し、ＭＰＵ１４１は、ＲＯＭ１２３に記憶されたプログラムを実行することによりコンピュータ全体を制御する。特に、ＲＯＭ１４３に記憶されているサーバプログラムをＭＰＵ１４１が実行することにより、コンピュータ上に、情報登録および情報配信管理部１０３、情報開示制限部１０４、利用ポイント管理部１０５、情報信頼性格付け部１０６、共有情報管理部１０７、個人情報管理部１０９が実現される。
【００７２】
次に本実施の形態の動作を説明する。
【００７３】
まず図９を参照して、或る利用者が実世界における或る場所や物に関連する情報を自己の情報端末１０２からサーバ装置１１２の共有情報データベース１０８に共有情報として登録する際の動作を説明する。ここで、共有情報を登録する利用者が使用する情報端末１０２と共有情報を参照する利用者が使用する情報端末１０２とを区別するために、前者の情報端末の符号を１０２−１、後者の情報端末の符号を１０２−２とする。
【００７４】
共有情報利用サービスに加入し、共有情報の登録を行う利用者は、情報端末１０２−１の表示部１２８に表示されたメニュー画面から共有情報提供サービスを選択すると、情報端末１０２−１はＲＦタグのスキャンモードに入る。利用者が、例えば「本日のお勧めメニュー」のようなレストラン等の入り口に立てかけられている立て看板に貼り付けられているＲＦタグ１０１を情報端末１０２−１によりスキャンすると、ＲＦタグ１０１はＲＦタグのユニークな識別子であるＵＩＤ−Ｔを情報端末１０２−１に応答する（図９のステップＳ１）。情報端末１０２−１は、受信したＲＦタグ１０１のＵＩＤ−ＴをＲＡＭ１２４の受信タグ記憶域に保存し、表示部１２８に共有情報入力画面を表示する。この共有情報入力画面は情報端末１０２−１のＲＯＭ１２３に予め記憶された共有情報サービスを提供するソフトウェアの一部として蓄積されている。勿論、共有情報提供サービスを選択されることで情報端末１０２−１が前記サービスを提供するウェブサイトなどのサーバに接続するような仕組みでもよい。
【００７５】
次に利用者は、入力部１２７の操作によって共有情報入力画面から他の利用者に公開する共有情報、例えばレストランの看板にＲＦタグが付いている前記の例では、他の利用者がそのレストランを利用する際に参考となるお勧めメニューやレストランに関する感想などを入力する。利用者から入力された共有情報はＲＡＭ１２４の共有情報記憶域に保存される。
【００７６】
情報端末１０２−１は、共有情報の入力が終了して情報送信が利用者によって選択されると、ＲＡＭ１２４の受信タグ記憶域に記憶されているＲＦタグ１０１のＵＩＤ−Ｔ、ＲＯＭ１２３の情報端末ＩＤ格納域に記憶されている情報端末１０２−１のユニークな識別子であるＵＩＤ−Ｓ、ＲＡＭ１２４の共有情報記憶域に記憶されている共有情報、および予めＲＯＭ１２３の個人情報記憶域に登録済みまたは前記共有情報入力画面から派生する個人情報入力画面により入力された個人情報および個人情報開示可否フラグ値を含む共有情報登録要求を作成し、通信部１２６を通じてサーバ装置１１２の情報登録および情報配信管理部１０３に送信する（ステップＳ２）。
【００７７】
情報登録および情報配信管理部１０３は、情報端末１０２−１から受信した共有情報登録要求をＲＡＭ１２４の受信メッセージ記憶域に一旦記憶し、その共有情報登録要求中の個人情報を含む格付け指示を情報信頼性格付け部１０６に送信する（ステップＳ３）。情報信頼性格付け部１０６は、受信した格付け指示に含まれる個人情報を解析して、今回の共有情報に対する信頼度を示す指数である情報信頼度を計算し、計算した情報信頼度を含む格付け結果を情報登録および情報配信管理部１０３に通知する（ステップＳ４）。
【００７８】
情報信頼性格付け部１０６における情報信頼度の計算では、開示される個人情報が多いほど、また重要度の高い項目が開示されるほど、情報信頼度を高く計算する。例えば、開示される個人情報を、氏名、年齢、職業、住所、電子メールアドレスの５項目とし、氏名は０．５、年齢は０．１、職業は０．３、住所は０．５、電子メールアドレスは０．５という重み係数を設定し、実際に開示された項目により以下の式で情報信頼度を計算する。
情報信頼度＝  氏名係数＋年齢係数＋職業係数＋住所係数＋電子メールアドレス係数
…（１）
【００７９】
例えば、個人情報として氏名だけを開示した場合、その情報信頼度は０．５と計算される。また、氏名、年齢、職業、住所の４項目を開示した場合、その情報信頼度は０．５＋０．１＋０．３＋０．５＝１．４と計算される。
【００８０】
情報登録および情報配信管理部１０３は、情報信頼性格付け部１０６から受信した格付け結果に含まれる情報信頼度をその元となった共有情報登録要求と対応付けてＲＡＭ１４４の受信メッセージ記憶域に保存した後、その共有情報登録要求中のＵＩＤ−Ｔ、ＵＩＤ−Ｓ、個人情報開示フラグ値および共有情報ならびに情報信頼性格付け部１０６で計算された情報信頼度を含む共有情報登録指示を情報開示制限部１０４を通じて共有情報管理部１０７に通知する（ステップＳ５）。
【００８１】
共有情報管理部１０７は、共有情報データベース１０８に１共用情報分のエントリ（行）を追加し、そのエントリにおける共有情報番号フィールド５０１に新たに採番した共有情報番号を登録し、共有情報フィールド５０３に共有情報登録要求に含まれる共有情報を登録し、場所や物に割り当てられるＵＩＤフィールド５０２に共有情報登録要求に含まれるＵＩＤ−Ｔを登録し、共有情報提供端末ＵＩＤフィールド５０４に共有情報登録要求に含まれるＵＩＤ−Ｓを登録し、情報信頼度フィールド５０５に共有情報登録要求に含まれる情報信頼度を登録し、個人情報開示フラグフィールド５０６に共有情報登録要求に含まれる個人情報開示可否フラグ値を登録し、前記採番した共有情報番号を含む共有情報登録結果通知を情報登録および情報配信管理部１０３に通知する（ステップＳ６）。
【００８２】
情報登録および情報配信管理部１０３は、共有情報管理部１０７から通知された共有情報番号をその元となった共有情報登録要求と対応付けてＲＡＭ１４４の受信メッセージ記憶域に保存した後、受信メッセージ記憶域中の共有情報登録要求に含まれる個人情報とＵＩＤ−Ｓと前記共有情報番号とを含む個人情報登録要求を情報開示制限部１０４を通じて個人情報管理部１０９に通知する（ステップＳ７）。個人情報管理部１０９は、個人情報データベース１１０に１個人情報分のエントリを追加し、そのエントリにおける個人情報フィールド６０２に個人情報登録要求に含まれる個人情報を登録し、共有情報提供端末ＵＩＤフィールド６０１にＵＩＤ−Ｓを登録し、共有情報番号フィールド６０３に共有情報番号を登録し、個人情報登録結果を情報登録および情報配信管理部１０３に通知する（ステップＳ８）。
【００８３】
情報登録および情報配信管理部１０３は、個人情報管理部１０９からの個人情報登録結果を受けると、共有情報登録要求元の情報端末１０２−１に共有情報の登録を終えた旨の共有情報登録結果を通知する（ステップＳ９）。
【００８４】
次に、上述のようにして情報端末１０２−１の利用者がＲＦタグ１０１のＵＩＤ−Ｔに関連付けて共有情報データベース１０８に登録した共有情報を、別の利用者が情報端末１０２−２を用いて参照する際の動作を図１０を参照して説明する。
【００８５】
共有情報利用サービスに加入し、共有情報取得を行う利用者が、情報端末１０２−２の表示部１２８に表示されたメニュー画面から共有情報取得サービスを選択すると、情報端末１０２−２はＲＦタグのスキャンモードに入る。そして利用者が、例えば「本日のお勧めメニュー」のようなレストラン等の入り口に立てかけられている立て看板に貼り付けられているＲＦタグ１０１に情報端末１０２−２をかざすと、情報端末１０２−２がＲＦタグ１０１に対してＵＩＤ取得要求を発行する。これにより、ＲＦタグ１０１は、ＲＦタグのユニークな識別子であるＵＩＤ−Ｔを情報端末１０２−２に応答する（図１０のステップＳ１１）。
【００８６】
情報端末１０２−１は、受信したＲＦタグ１０１のＵＩＤ−ＴをＲＡＭ１２４の受信タグ記憶域に保存した後、このＵＩＤ−Ｔと、ＲＯＭ１２３の情報端末ＩＤ格納域に記憶されている情報端末１０２−２のユニークな識別子であるＵＩＤ−Ｓとを含む共有情報取得要求を作成し、通信部１２６を通じてサーバ装置１１２の情報登録および情報配信管理部１０３に送信する（ステップＳ１２）。
【００８７】
情報登録および情報配信管理部１０３は、情報端末１０２−２から受信した共有情報取得要求をＲＡＭ１２４の受信メッセージ記憶域に一旦記憶し、その共有情報取得要求中の情報端末１０２−２のＵＩＤ−ＳとＲＦタグ１０１のＵＩＤ−Ｔとを含む共有情報取得指示を情報開示制限部１０４へ通知する（ステップＳ１３）。
【００８８】
情報開示制限部１０４は、共有情報取得指示に含まれる情報端末１０２−２のＵＩＤ−Ｓをキーに開示制限ＵＩＤデータベース１１１を検索し、そのＵＩＤ−Ｓと一致する共有情報取得端末ＵＩＤフィールド７０１に対応する情報開示レベル７０２を参照して、情報端末１０２−２に対して共有情報を提供してよいかどうかを判断する。若し、情報開示レベル７０２が提供を許可しないレベルであれば、図１０には示されていないが、共有情報の提供を拒否する旨が情報登録および情報配信管理部１０３を通じて情報端末１０２−２に通知される。他方、共有情報の提供が許可されている場合、情報開示制限部１０４は、共有情報取得指示に含まれるＲＦタグ１０１のＵＩＤ−Ｔを含む共有情報参照指示を共有情報管理部１０７へ送信する（ステップＳ１４）。また、この情報開示レベル７０２を後のステップＳ１８で利用するので、保存しておく。
【００８９】
共有情報管理部１０７は、共有情報参照指示に含まれるＲＦタグ１０１のＵＩＤ−Ｔをキーに共有情報データベース１０８を検索し、場所や物に割り当てられたＵＩＤフィールド５０２に同じＵＩＤが登録されている全てのエントリを読み出し、共有情報参照結果として情報開示制限部１０４に通知する（ステップＳ１５）。このとき共有情報管理部１０７は、読み出した全てのエントリをＲＡＭ１４４上のソート領域に一旦格納して情報信頼度フィールド５０５の昇順にソートし、情報信頼度の値が大きいものから順に優先的に情報開示制限部１０４へ通知する。
【００９０】
情報開示制限部１０４は、共有情報管理部３０６から通知された最初の共有情報にかかるエントリについて、その中の個人情報開示フラグ５０６を参照し、若し個人情報の開示を許可している場合には、そのエントリの共有情報番号５０１と共有情報提供端末ＵＩＤ５０４とを含む個人情報参照指示を個人情報管理部１０９へ送信する（ステップＳ１６）。個人情報管理部１０９は、個人情報参照指示に含まれる共有情報番号および共有情報提供端末ＵＩＤをキーに個人情報データベース１１０を検索し、共有情報番号フィールド６０３および共有情報提供端末ＵＩＤフィールド６０１が一致するエントリの個人情報フィールド６０２に登録されている個人情報を個人情報参照結果として情報開示制限部１０４へ通知する（ステップＳ１７）。個人情報開示フラグ５０６が個人情報の開示を禁止している場合、ステップＳ１６、Ｓ１７は省略される。
【００９１】
次に情報開示制限部１０４は、最初の共有情報にかかるエントリと個人情報が取得されている場合にはその個人情報と更に保存してある情報開示レベルとを共有情報取得結果として情報登録および情報配信管理部１０３へ通知する（ステップＳ１８）。このとき、情報開示制限部１０４は、保存してある情報開示レベル７０２を参照して、情報開示レベル７０２がレベル１ならば、共有情報フィールド５０３に登録されている共有情報中の一部（例えば概要と詳細があれば、詳細部分）を削除し、レベル２ならば、そのような削除は行わない。
【００９２】
情報登録および情報配信管理部１０３は、情報開示制限部１０４から共有情報を含む共有情報取得結果を受信すると、情報端末１０２−２のＵＩＤ−Ｔと共有情報取得結果に含まれる共有情報にかかるエントリ中の情報信頼度５０５と情報端末１０２−２の情報開示レベルとを含むポイント減算指示を利用ポイント管理部１０５へ送信する（ステップＳ１９）。利用ポイント管理部１０５は、情報信頼度５０５と情報開示レベルと予め設定された標準ポイントとから今回の共有情報の参照に必要なポイントを計算し、情報端末１０２−２のＵＩＤ−Ｔをキーにポイント記憶部１３１を検索し、現在のポイント１３３から前記計算したポイントを減じ、減算したポイントを含むポイント減算結果を情報登録および情報配信管理部１０３へ通知する（ステップＳ２０）。
【００９３】
減算するポイントは、情報信頼度および情報開示レベルが高いほど高くなるように、例えば次式により計算する。
ポイント＝標準ポイント×情報信頼度×情報開示レベルによる補正係数
…（２）
ここで、情報開示レベルによる補正係数は、例えば情報開示レベル１＝０．５、情報開示レベル２＝１．０である。従って、標準ポイントを２０ポイント、情報信頼度を１．４、情報開示レベル２とすると、減算ポイントは２０×１．４×１．０＝２８となる。なお、共有情報サービス提供者（サーバ装置１１２の運用事業者）に対する手数料分のポイントを加えるようにしてもよい。
【００９４】
また情報登録および情報配信管理部１０３は、共有情報取得結果に含まれる共有情報にかかるエントリ中の共有情報提供端末ＵＩＤ５０４と情報信頼度５０５と情報端末１０２−２の情報開示レベルとを含むポイント加算指示を利用ポイント管理部１０５へ送信する（ステップＳ２１）。利用ポイント管理部１０５は、前記（２）と同様の計算式により、情報信頼度５０５と情報開示レベルと予め設定された標準ポイントとから今回の共有情報の提供に対する加算ポイントを計算し、共有情報提供端末ＵＩＤ５０４をキーにポイント記憶部１３１を検索し、現在のポイント１３３に前記計算したポイントを加算し、加算ポイントを含むポイント加算結果を情報登録および情報配信管理部１０３へ通知する（ステップＳ２２）。
【００９５】
次に情報登録および情報配信管理部１０３は、ステップＳ１８で情報開示制限部１０４から通知された共有情報取得結果に含まれる共有情報にかかるエントリ中の共有情報フィールド５０３に記載されている共有情報と、若し個人情報が通知されていれば個人情報、そうでなければ情報信頼度５０５と、ステップＳ２０で利用ポイント管理部１０５から通知された減算ポイントとを含む共有情報取得結果を、共有情報取得要求元の情報端末１０２−２に送信する（ステップＳ２３）。情報端末１０２−２は、受信した共有情報取得結果に含まれる共有情報を表示部１４８に表示し、あわせて、個人情報やその共有情報を参照するのに支払ったポイントとして前記減算ポイントを利用者に通知する。
【００９６】
また情報登録および情報配信管理部１０３は、共有情報提供端末ＵＩＤ５０４で特定される当該共有情報を提供した利用者の情報端末１０２−１に対して電子メールなどの方法で、ステップＳ２２により利用ポイント管理部１０５から通知された加算ポイントを通知する（ステップＳ２４）。
【００９７】
情報端末１０２−２の利用者が、次の共有情報の取得を情報登録および情報配信管理部１０３に対して要求すると（ステップＳ２５）、情報登録および情報配信管理部１０３は次取得指示を情報開示制限部１０４に通知する（ステップＳ２６）。情報開示制限部１０４は、共有情報管理部３０６から通知された２番目の共有情報にかかるエントリについて、前記ステップＳ１６と同様の処理を行う。以降、ステップＳ１６〜Ｓ２４と同様の処理が行われ、２番目の共有情報が情報端末１０２−２の利用者に通知され、その利用者のポイント減算とその共有情報を提供した者のポイント加算が行われる。
【００９８】
このように本実施の形態によれば、以下のような効果が得られる。
【００９９】
レストランの立て看板など実世界の場所や物に関連する情報を利用者間で手軽に共有することができる。その理由は、実世界の場所や物にユニークなＩＤを持ったＲＦタグ１０１が取り付けられており、その物に関連する情報を提供したい利用者は自身の情報端末１０２でＲＦタグ１０１のＵＩＤを読み取り、他の利用者に提供したい情報と前記ＵＩＤとを含む共有情報登録要求を情報端末１０２からサーバ装置１１２へ送信すれば、共有情報データベース１０８に前記ＵＩＤに対応して共有情報を登録でき、その物に関連する情報を参照したい利用者は自身の情報端末１０２でＲＦタグ１０１のＵＩＤを読み取り、このＵＩＤを含む共有情報取得要求を情報端末１０２からサーバ装置１１２へ送信すれば、共有情報データベース１０８から前記ＵＩＤに対応して登録された共有情報が検索され、取得要求元の情報端末１０２へ送られてくるからである。
【０１００】
実世界の場所や物に関する情報を利用者間で売買することが可能である。その理由は、共有情報の提供者にはポイントを付与し、共有情報の参照者はポイントを支払うようになっており、ポイントの交換という形式で共有情報が売買されるからである。
【０１０１】
実世界の場所や物に関する情報を利用者間で売買する新規なビジネスが可能である。その理由は、ポイントの提供及び取得に伴う処理に対してサーバ装置を介することで、個人間で情報提供と利用の売買を行うサービスを簡単に提供でき、情報共有サービスに伴う手数料を取得する環境が提供できるからである。
【０１０２】
物や場所に関連する情報と前記情報を提供する個人情報を公開する手段を設け、個人情報の公開度合いと連動して共有情報に対する信頼性を格付けし、また個人情報の公開度合いに対してポイント加算率の増減を行い、共有情報の公開に対して優先順位を上下させ、個人情報の公開度合いが大きい人に対してポイント加算率を高くし、共有情報の公開優先順位を上げることで、より信頼性の高い共有情報を提供する仕組みを提供できる。その理由は、提供する共有情報に対して個人情報を公開させることで、出所の分からない無責任な情報と出所が判明した共有情報を差別化し、共有情報の利用者が出所不明の情報とそうでない情報の区別をすることができるためである。
【０１０３】
共有する情報を提供するために店舗などが新たにネットワークを敷設する必要がなく、無線ＬＡＮサービスプロバイダや携帯電話キャリアなどが提供する既存通信網を利用して情報共有サービスを提供できることにある。その理由は、場所や物に対する情報共有のトリガとしてＲＦタグなどのＵＩＤを持ったデバイスを用い、前記デバイスを利用者が保有するネットワーク接続可能な端末を用いることで、情報共有する物自身がネットワークに接続している必要なしに、場所や物の識別が可能になるためである。
【０１０４】
情報提供者は、提供する情報毎に個人情報の開示度を変えることができ、サーバ装置は各情報提供者の提供する情報毎にその情報提供者が開示した個人情報を保存でき、その個人情報に基づいてその共有情報の信頼性を格付けでき、また情報参照者が共有情報を参照した際の情報提供者の加算ポイント、情報参照者の減算ポイントを個々の共有情報毎の個人情報に応じて変えることができる。
【０１０５】
『第２の実施の形態』
次に、本発明の第２の実施の形態について図面を参照して詳細に説明する。
【０１０６】
図１１を参照すると、本発明の第２の実施の形態は、ＲＦタグ１０１と、ＲＦタグ８０１と、ＲＦタグスキャン機能付き情報端末８０２と、サーバ装置１１２とから構成され、図１に示した第１の実施の形態と比較して、情報端末８０２には自端末を一意に識別するＵＩＤが固定的に割り付けられておらず、その代わりとなるユニークな識別子を保持するＲＦタグ８０１を共有情報の登録時や参照時に情報端末８０２により読み取って、第１の実施の形態の情報端末１０２が保有していたＵＩＤと同じ目的で使用するよう構成されている。
【０１０７】
ＲＦタグ８０１は、個々の利用者本人を一意に識別するＩＤを保持し、例えばカードやキーホルダーのような形態で各利用者が所持している。なお、利用者本人を一意に識別するＩＤを情報端末８０２から読み取り可能に保持する媒体であれば、ＲＦタグ８０１の代わりにＩＣカードなどの他の媒体でもよい。
【０１０８】
他方、ＲＦタグ１０１は、第１の実施の形態と同じものであり、ユニークなＩＤを保持し、実世界の場所や物に貼り付けられ、前記場所や物との関連で情報を利用者間で共有するために利用される。
【０１０９】
ＲＦタグ１０１およびＲＦタグ８０１に保持されるＵＩＤのフォーマット例を図１２に示す。この例では、ＵＩＤは合計１２８ビットで構成され、８ビットの利用種別フィールド、８ビットの製品種別フィールド、１１２ビットのシリアル番号フィールドの３つのフィールドに区分されている。利用種別フィールドは、当該ＵＩＤが場所や物に割り当てられたＵＩＤ、つまりＲＦタグ１０１の保持するＵＩＤか、人に割り当てられたＵＩＤ、つまりＲＦタグ８０１の保持するＵＩＤかを区別するために各々固有のビット値が設定される。製品種別フィールドは、場所や物に割り当てられるＵＩＤの場合は当該場所および物の種類（例えば、レストランの立て看板なのか、ブティックの看板なのか等の種類）を示すための固有のビット値が設定される。シリアル番号フィールドは、場所や物に割り当てられるＵＩＤの場合は個々の場所および物固有のビット値が、人に割り当てられるＵＩＤの場合は個々の人固有のビット値が設定される。なお、図１２に示すＵＩＤのフォーマット例は第１の実施の形態におけるＲＦタグ１０１と情報端末のＩＤにも適用可能である。
【０１１０】
情報端末８０２は、自端末を一意に識別するＵＩＤが固定的に割り付けられていない点を除き、第１の実施の形態における情報端末１０２と同じ機能を有する。また、サーバ装置１１２は第１の実施の形態におけるものと同じである。
【０１１１】
次に本実施の形態の動作を説明する。
【０１１２】
まず図１３を参照して、或る利用者が実世界における或る場所や物に関連する情報を自己の情報端末８０２からサーバ装置１１２の共有情報データベース１０８に共有情報として登録する際の動作を説明する。ここで、共有情報を登録する利用者が使用する情報端末８０２と共有情報を参照する利用者が使用する情報端末８０２とを区別するために、前者の情報端末の符号を８０２−１、後者の情報端末の符号を８０２−２とする。
【０１１３】
共有情報利用サービスに加入し、共有情報の登録を行う利用者は、情報端末８０２−１の表示部１２８に表示されたメニュー画面から共有情報提供サービスを選択すると、情報端末８０２−１はＲＦタグのスキャンモードに入る。利用者が、例えば「本日のお勧めメニュー」のようなレストラン等の入り口に立てかけられている立て看板に貼り付けられているＲＦタグ１０１を情報端末８０２−１によりスキャンし、また、自身が所持するＲＦタグ８０１を情報端末８０２−１によりスキャンすると、ＲＦタグ１０１はユニークな識別子であるＵＩＤ−Ｔ１を情報端末８０２−１に応答し、ＲＦタグ８０１はユニークな識別子であるＵＩＤ−Ｔ２を情報端末８０２−１に応答する（図１３のステップＳ１’）。情報端末８０２−１は、受信したＵＩＤの上位８ビットの利用種別フィールドのビット列をデコードすることにより、ＵＩＤ−Ｔ１が実世界の場所や物を識別するためのＵＩＤであること、ＵＩＤ−Ｔ２が情報端末８０２−１を使用している人を識別するためのＵＩＤであることをそれぞれ判別し、それぞれをＲＡＭ１２４の受信タグ記憶域に保存し、表示部１２８に共有情報入力画面を表示する。以降、ＵＩＤ−Ｔ２がＵＩＤ−Ｓの代わりに使用される点を除き、第１の実施の形態と同様の動作が行われ（ステップＳ２〜Ｓ９）、情報端末８０２−１の利用者が入力した情報がＲＦタグ１０１のＵＩＤ−Ｔ１に関連付けて共有情報データベース１０８に登録される。
【０１１４】
次に、情報端末８０２−１の利用者がＲＦタグ１０１のＵＩＤ−Ｔに関連付けて共有情報データベース１０８に登録した共有情報を、別の利用者が情報端末８０２−２を用いて参照する際の動作を図１４を参照して説明する。
【０１１５】
共有情報利用サービスに加入し、共有情報取得を行う利用者が、情報端末８０２−２の表示部１２８に表示されたメニュー画面から共有情報取得サービスを選択すると、情報端末８０２−２はＲＦタグのスキャンモードに入る。そして利用者が、例えば「本日のお勧めメニュー」のようなレストラン等の入り口に立てかけられている立て看板に貼り付けられているＲＦタグ１０１に情報端末８０２−２をかざすと、情報端末８０２−２がＲＦタグ１０１に対してＵＩＤ取得要求を発行し、また、自身が所持するＲＦタグ８０１に情報端末８０２−２をかざすと、情報端末８０２−２がＲＦ端末８０１に対してＵＩＤ取得要求を発行する。これにより、ＲＦタグ１０１はＵＩＤ−Ｔ１を情報端末８０２−２に応答し、ＲＦタグ８０１はＵＩＤ−Ｔ２を情報端末８０２−２に応答する（図１４のステップＳ１１’）。
【０１１６】
情報端末８０２−１は、受信したＵＩＤの上位８ビットの利用種別フィールドのビット列をデコードすることにより、ＵＩＤ−Ｔ１が実世界の場所や物を識別するためのＵＩＤであること、ＵＩＤ−Ｔ２が情報端末８０２−２を使用している人を識別するためのＵＩＤであることをそれぞれ判別し、それぞれをＲＡＭ１２４の受信タグ記憶域に保存した後、このＵＩＤ−Ｔ１とＵＩＤ−Ｔ２とを含む共有情報取得要求を作成し、通信部１２６を通じてサーバ装置１１２の情報登録および情報配信管理部１０３に送信する（ステップＳ１２）。以降、ＵＩＤ−Ｔ２がＵＩＤ−Ｓの代わりに使用される点を除き、第１の実施の形態と同様の動作が行われ（ステップＳ１３〜Ｓ２６）、情報端末８０２−１の利用者がＲＦタグ１０１のＵＩＤ−Ｔ１に関連付けて共有情報データベース１０８に登録した共有情報が情報端末８０２−２の利用者に提示される。
【０１１７】
このように本実施の形態によれば、第１の実施の形態と同様の効果が得られると共に、個人を識別するためのＵＩＤを個人が保有するＲＦタグ８０１に保持するように構成されているため、情報端末８０２を複数の利用者で共用することができる効果がある。
【０１１８】
『第３の実施の形態』
次に、本発明の第３の実施の形態について図面を参照して詳細に説明する。
【０１１９】
図１５を参照すると、本発明の第３の実施の形態は、レストランなどの表看板に貼り付けられたＲＦタグ１０１−１と、定食屋などの表看板に貼り付けられたＲＦタグ１０１−２と、サーバ装置１１２を有するサービスプロバイダ２０１と、第１または第２の実施の形態における情報端末１０２、８０１と同様な機能を有する携帯型の情報端末１０２−１および１０２−２と、これらの情報端末１０２−１、１０２−２が無線ＬＡＮを用いてインターネット２０３を通じてサービスプロバイダ２０１にアクセスするための無線ＬＡＮアクセスポイント２０２と、情報端末１０２−１、１０２−２がサービスプロバイダ２０１のサーバ装置１１２にアクセスするために利用者や端末の認証などを行うアクセスルータ２０４とから構成されている。
【０１２０】
本実施の形態においては、サービスプロバイダ２０１が会員に提供する１つのサービスとして共有情報利用サービスを実現でき、かつ、携帯型の情報端末１０２−１、１０２−２は無線ＬＡＮを通じてサーバ装置１１２と通信することができるようになっている。本実施の形態の動作は第１または第２の実施の形態の動作と基本的に同じである。
【図面の簡単な説明】
【０１２１】
【図１】本発明の第１の実施の形態のブロック図である。
【図２】本発明の第１の実施の形態における情報端末のブロック図である。
【図３】本発明の第１の実施の形態における開示制限ＵＩＤデータベースの例である。
【図４】本発明の第１の実施の形態における利用ポイント管理部が管理するポイント記憶部の例である。
【図５】本発明の第１の実施の形態における共有情報データベースの例である。
【図６】本発明の第１の実施の形態における個人情報データベースの一例である。
【図７】本発明の第１の実施の形態における個人情報データベースの別の例である。
【図８】本発明の第１の実施の形態におけるサーバ装置を構成するコンピュータのブロック図である。
【図９】本発明の第１の実施の形態における情報端末からの共有情報登録時の処理の流れを示す図である。
【図１０】本発明の第１の実施の形態における情報端末からの共有情報取得時の処理の流れを示す図である。
【図１１】本発明の第２の実施の形態のブロック図である。
【図１２】本発明の第２の実施の形態で利用するＵＩＤのフォーマットの例である。
【図１３】本発明の第２の実施の形態における情報端末からの共有情報登録時の処理の流れを示す図である。
【図１４】本発明の第２の実施の形態における情報端末からの共有情報取得時の処理の流れを示す図である。
【図１５】本発明の第３の実施の形態のブロック図である。
【符号の説明】
【０１２２】
１０１…ＲＦタグ
１０２…ＲＦタグスキャン機能付き情報端末
１０３…情報登録および情報配信管理部
１０４…情報開示制限部
１０５…利用ポイント管理部
１０６…情報信頼性格付け部
１０７…共有情報管理部
１０８…共有情報データベース
１０９…個人情報管理部
１１０…個人情報データベース
１１１…開示制限ＵＩＤデータベース
２０１…サービスプロバイダ
２０２…無線ＬＡＮアクセスポイント
２０３…インターネット
２０４…アクセスルータ
【図１】
2006133841.tif 000003
【図２】
2006133841.tif 000004
【図３】
2006133841.tif 000005
【図４】
2006133841.tif 000006
【図５】
2006133841.tif 000007
【図６】
2006133841.tif 000008
【図７】
2006133841.tif 000009
【図８】
2006133841.tif 000010
【図９】
2006133841.tif 000011
【図１０】
2006133841.tif 000012
【図１１】
2006133841.tif 000013
【図１２】
2006133841.tif 000014
【図１３】
2006133841.tif 000015
【図１４】
2006133841.tif 000016
【図１５】
2006133841.tif 000017